(57)【要約】【課題】  無線通信における通信の性能と回線品質を示す電波伝搬特性を知るために、机上でのシミュレーションや電波伝搬測定を実行するが、このとき多くの検討条件や測定条件を設定している。これらの条件の中で重要条件は例え一箇所でもその条件内容が異なると同一の結果を得ることができない。従来、この重要条件は時として限られた設計者や関連する技術者だけの内輪のノウハウとして公表されない場合があった。設計実行者や関連する技術者であっても未公表なるがゆえに、長い時間の経過後には類似図面間の区別がつけにくかったり重要条件を失念したりする場合があった。【解決手段】  電波伝搬特性を表現する紙上の図面とパソコン上の画面に重要条件を結果と共に記載することによって、置局設計などで、結果を必要とするすべての人にわかりやすく誤解を生じさせない表示方式を実現した。【選択図】図３
2010148079.tif 000002
【特許請求の範囲】
【請求項１】
無線通信において、通信の性能と回線品質を示す電波伝搬特性は一定の条件の下にその結果が得られるものであるから、電波伝搬特性を地図上に表現する手段を備え、前記条件とその結果を同時に表示することを特徴とした表示方式
【請求項２】
電波伝搬特性は、机上における電波到達計算の検討結果（以後シミュレーション図または机上図という）の場合と電波を実際に発信しそれを受信した測定結果を示す測定図の場合と前記シミュレーション図に前記測定結果を重畳させて表現する重畳図の場合を含む請求項１記載の表示方式
【発明の詳細な説明】
【技術分野】
【０００１】  本発明は、無線通信における通信の性能と回線品質を示す電波伝搬特性を表現する地図上の表示方式に関する。
【背景技術】
【０００２】無線通信の中でも特に移動体通信において、有効な基地局の設置場所を確定するための設計（以後置局設計という）ではシミュレーション図を作成することは通常の技術である（例えば、非特許文献１参照。）。また、電波伝搬測定の測定結果を地図上に記載することも従来から行われてきた（例えば、非特許文献２参照。）。そしてシミュレーション図に測定結果を重畳させて表現することは発明者が平成１８年度に島根県から受託した業務「２６０ＭＨｚ帯電波伝搬調査等基本検討業務委託」の納人成果品の中で平成１９年３月に記載した技術である（例えば、非特許文献２参照。）。
【非特許文献１】「平成１８年度消防救急無線の広域化・共同化等に関する調査研究検討業務委託報告書」（平成１９年３月  神奈川県）添付図面
【非特許文献２】「島根県  ２６０ＭＨｚ帯電波伝搬調査等基本検討業務委託」報告書（平成１９年３月  財団法人日本消防設備安全センター）添付図面
【０００３】これらの従来図面にはシミュレーションを実行するときに必要な重要条件をその成果図に書き込んだ表示方式ではなくまた電波伝搬測定結果を示す測定図に測定上必要であった重要条件をその測定図に書き込んだ表示方式ではない。【０００４】従来のシミュレーション図、測定図、重畳図及びこれらの図を示すパソコン上の画面には必要十分な重要条件を同時に記載された例は見当たらない。
【発明の開示】
【発明が解決しようとする課題】
【０００５】置局の設計でシミュレーション図を作成する場合には多くの検討条件を設定してシミュレーションソフトを稼動し電波到達計算の検討を行うものである。また電波伝搬測定でも同様に多くの測定条件を設定して測定するものである。【０００６】これらの条件の中で重要条件とは例え一箇所でもその条件内容が異なると同一の結果を得ることができない条件である。【０００７】この重要条件は時として限られた設計者や関連する技術者だけの内輪のノウハウとして公表されない欠点があった。設計実行者や関連する技術者であっても未公表なるがゆえに、長い時間の経過後には類似図面間の区別がつけにくかったり重要条件を失念したりする欠点があった。【０００８】本発明はこれらの欠点を排除して、電波伝搬特性を表現する紙上の図面とパソコン上の画面（以下図面と略す）に重要条件を結果と共に記載することによって、結果を必要とするすべての人にわかりやすく誤解を生じさせない表示方式を提案することにある。
【課題を解決するための手段】
【０００９】シミュレーション図（または机上図という）、電波伝搬測定図（または測定図という）、シミュレーション図に電波伝搬測定結果を重畳させた図（または重畳図という）を作成する場合に必要な重要条件などを図１に示す。図１に示すとおり図面の種類別に記載する内容は異なる。【００１０】検討または測定した結果を地図上に描画すると共に図１に記載の重要条件を含む条件などを記載する。【００１１】このように条件と結果を一体にして完成した図面に通常は図面番号を付加して管理する。【００１２】この図面番号は一定の基準で採番すると図面の関連性が保てて便利である。図２に図面番号作成基準を例示する。【００１３】発明実施の形態を図３に示す。電波伝搬測定は通常次の３種類の測定項目を採取する。▲１▼受信電圧、▲２▼ＢＥＲ（ビットエラーレイト）、▲３▼音声メリットである。【００１４】３種類の測定項目は測定の検出点が異なり異なる電波伝搬特性を示す。▲１▼は復調器より入力側に検出点があり搬送波の受信電圧を示す。受信アンテナがダイバシティー方式であってもこの電圧値は変わらない。▲２▼は復調器の出力側であって音声コーデックの入力側に検出点を持ち機械的に１／０符合の判定の正しさを測定する。受信アンテナがダイバシティー方式の場合にはダイバシティー方式による効果がある。▲３▼は音声コーデックの出力側に検出点を持ち測定者（人）が主観的に音声の理解度の判定を行う。これはデコーデックによる誤り符号訂正機能や人の耳と感性による補正も含めた主観的な評価値となる。【００１５】電波伝搬測定はシミュレーションと同じ条件で測定し、図２に示す法則にて図面番号をとり測定結果を測定項目と測定品質で区別して図面化する。【００１６】測定項目は前記３種類の測定項目で異なる図面に記載する。【００１７】測定品質は各測定項目の中で判断基準毎に表現を変えて表示する。【００１８】図３には測定項目と測定品質の表示例を示している。【００１９】以上の方法により請求項第１項及び第２項に係る電波伝搬特性を表示する図面が出来る。
【発明の効果】
【００２０】上述したように本発明は、電波伝搬特性を表現する地図上の図面に重要条件を検討結果や測定結果と共に記載するので、結果を必要とする全ての人々に思い込みや誤解を生じさせることなく、また失念することもなく、理解のし易い表示方式を実現することが出来た。
【発明実施の応用】
【００２１】一つの管理単位（例えば１消防本部）で複数の基地局を使用する場合に、１局毎のシミュレーションを合成して得た合成シミュレーション図（以下合成図という）を作成することも通常行われる。この場合に、共通的に使用した重要条件などを本発明と同様に図面に同時に記載することが可能である。
【００２２】具体的に示した各図面は全て例示であり、条件を示す位置やサイズ或いは順番や項目数などを拘束するものではない。
【００２３】基地局を固定局に、車載局を移動局として携帯局に置き換えることは本発明の趣旨に反しない。
【００２４】また、複数の情報を同一の地図上に表現する事から情報別に色分けすると理解が容易である。図面に色別例を記載しているが、この色別は他の色や記号に置き換えることは本発明の趣旨に反しない。
【産業上の利用可能性】
【００２５】無線通信における置局設計に重要な役割を果たす表示方式である。
【図面の簡単な説明】
【００２６】
【図１】  本発明の実施形態の要素である重要条件などを重要な程度別及び適用図面別にまとめたもの
【図２】  図面番号作成基準例
【図３】  本発明の実施の形態を示す図面（図３の具体例を参考図１−９に示す）。
【図１】
2010148079.tif 000003
【図２】
2010148079.tif 000004
【図３】
2010148079.tif 000005